(57)【特許請求の範囲】
【請求項１】
印刷対象のドキュメントの頁範囲のうち、消色可能な消色色材を用いて印刷する第１の頁範囲と、消色できない非消色色材を用いて印刷する第２の頁範囲であって前記ドキュメントの頁範囲における前記第１の頁範囲以外の第２の頁範囲と、を取得し、
前記第２の頁範囲を印刷しない指示を受け付け可能な印刷禁止受付部を表示部に表示し、
前記印刷禁止受付部にて前記第２の頁範囲を印刷しない指示を受け付けない場合、前記第１の頁範囲を前記消色色材によりプリンタに印刷させ、前記第２の頁範囲を前記非消色色材により前記プリンタに印刷させる印刷データを生成し、
前記印刷禁止受付部にて前記第２の頁範囲を印刷しない指示を受け付ける場合、前記第２の頁範囲は前記プリンタに印刷させず、前記第１の頁範囲を前記消色色材により前記プリンタに印刷させる印刷データを生成する
処理をコンピュータに実行させるプリンタドライバ。
【請求項２】
印刷設定画面を表示部に表示し、前記印刷設定画面にて、印刷対象のドキュメントの頁範囲のうち、消色可能な消色色材を用いて印刷する第１の頁範囲の指定と、消色できない非消色色材を用いて印刷する第２の頁範囲の指定とを受け付け、
前記第１の頁範囲を前記消色色材によりプリンタに印刷させ、前記第２の頁範囲を前記非消色色材により前記プリンタに印刷させる印刷データであって、前記ドキュメントの頁範囲のうち前記第１の頁範囲および前記第２の頁範囲として指定されなかった第３の頁範囲がある場合には前記第３の頁範囲を前記プリンタに印刷させない印刷データを生成する処理をコンピュータに実行させるプリンタドライバ。
【請求項３】
印刷に用いる色材として、消色可能な消色色材および消色できない非消色色材の一方の選択を受け付け可能なカラー設定部と、印刷対象のドキュメントの前記消色色材による印刷の部数の入力を受け付ける第１部数受付部と、前記ドキュメントの前記非消色色材による印刷の部数の入力を受け付ける第２部数受付部と、を含む印刷設定画面を表示部に表示し、
前記カラー設定部にて前記消色色材の指定を受け付けると、前記第１部数受付部および前記第２部数受付部への入力を可能にし、前記カラー設定部にて前記非消色色材の指定を受け付けると、前記第１部数受付部および前記第２部数受付部への入力を不可にし、
前記消色色材により前記第１部数受付部にて受け付けた部数、前記ドキュメントをプリンタに印刷させるとともに、前記非消色色材により前記第２部数受付部にて受け付けた部数、前記ドキュメントを前記プリンタに印刷させる印刷データを生成する処理をコンピュータに実行させるプリンタドライバ。
【請求項４】
印刷対象のドキュメントの頁範囲のうち、消色可能な消色色材を用いて印刷する第１の頁範囲と、消色できない非消色色材を用いて印刷する第２の頁範囲であって前記ドキュメントの頁範囲における前記第１の頁範囲以外の第２の頁範囲と、を取得し、
前記第２の頁範囲を印刷しない指示を受け付け可能な印刷禁止受付部を表示部に表示し、
前記印刷禁止受付部にて前記第２の頁範囲を印刷しない指示を受け付けない場合、前記第１の頁範囲を前記消色色材によりプリンタに印刷させ、前記第２の頁範囲を前記非消色色材により前記プリンタに印刷させる印刷データを生成し、
前記印刷禁止受付部にて前記第２の頁範囲を印刷しない指示を受け付ける場合、前記第２の頁範囲は前記プリンタに印刷させず、前記第１の頁範囲を前記消色色材により前記プリンタに印刷させる印刷データを生成する印刷データ生成方法。
【請求項５】
印刷対象のドキュメントの頁範囲のうち、消色可能な消色色材を用いて印刷する第１の頁範囲と、消色できない非消色色材を用いて印刷する第２の頁範囲であって前記ドキュメントの頁範囲における前記第１の頁範囲以外の第２の頁範囲と、を取得する取得部と、
前記第２の頁範囲を印刷しない指示を受け付け可能な印刷禁止受付部を表示部に表示する受付部表示部と、
前記印刷禁止受付部にて前記第２の頁範囲を印刷しない指示を受け付けない場合、前記第１の頁範囲を前記消色色材によりプリンタに印刷させ、前記第２の頁範囲を前記非消色色材により前記プリンタに印刷させる印刷データを生成し、前記印刷禁止受付部にて前記第２の頁範囲を印刷しない指示を受け付ける場合、前記第２の頁範囲は前記プリンタに印刷させず、前記第１の頁範囲を前記消色色材により前記プリンタに印刷させる印刷データを生成する生成部と、
を備える印刷処理装置。
【発明の詳細な説明】
【技術分野】
【０００１】
本発明の実施の形態は、消色色材および非消色色材の双方による印刷処理が可能な画像形成装置にて印刷を実行させる印刷データを生成する技術に関する。
【背景技術】
【０００２】
従来、消色可能な色材（消色色材）を使った印刷と、消色できない色材（非消色色材）を使った印刷が可能な画像形成装置が知られている（例えば、特許文献１参照。）。
【０００３】
画像形成装置は、例えばパーソナルコンピュータ等の印刷処理装置からプリントジョブを受信し、画像を形成する。印刷処理装置は、ユーザにより選択されたプリンタドライバを介して、印刷設定を行う。
【発明の概要】
【発明が解決しようとする課題】
【０００４】
上述のような、消色色材を使った印刷と、非消色色材を使った印刷の双方が可能な画像形成装置に対して送信するプリントジョブを生成する上で、利便性の高い生成技術が求められている。
【０００５】
本発明は上述した問題点を解決するためになされたものであり、消色色材および非消色色材の双方による印刷処理が可能な画像形成装置にて印刷を実行させるプリントジョブ（印刷データ）を生成する技術を提供することを目的とする。
【課題を解決するための手段】
【０００６】
上記課題を解決するため、実施形態によるプリンタドライバは、消色色材および非消色色材のうちいずれか一方の色材を用いて印刷することを示す第１設定を取得し、印字対象であるドキュメントを構成する複数頁のうち、前記第１設定に基づいて印刷する、少なくとも１頁以上の第１の頁範囲を示す頁設定を取得し、前記消色色材および非消色色材のうちのいずれか他方の色材を用いて印刷することを示す第２設定を取得し、前記複数頁のうち前記頁設定が示す前記第１の頁範囲を前記第１設定に基づいてプリンタに印刷させ、前記複数頁のうちの前記第１の頁範囲以外の第２の頁範囲を前記第２の設定に基づいて前記プリンタに印刷させる印刷データを生成する処理をコンピュータに実行させる。
【図面の簡単な説明】
【０００７】
【図１】第１の実施の形態による印刷システムのハードウェア構成を示すハードウェアブロック図である。
【図２】実施の形態による画像形成装置の概略構成を示す概略縦断面図である。
【図３】ドキュメントの任意の頁範囲に対する任意の印刷設定の適用方法について説明するためのフローチャートである。
【図４】画像処理装置１で実行されるプリンタドライバプログラム１０６ｂにより表示部１０３に表示される操作画面の一例を示す図である。
【図５】図４のページ設定ボタン７０３が押されると表示部１０３に表示される消色印刷ページ設定を行うための設定画面の一例である。
【図６】消色印刷ページ設定画面において、さらに、チェックボックス７０６にて“非消色印字をしない”ことを設定可能にした一例を示す図である。
【図７】互いに異なる色の消色色材のカートリッジが複数装着されている場合の、消色印刷のカラー選択機能を有する消色印刷ページ設定画面の一例をしめす図である。
【図８】選択可能となる項目がプルダウンメニューで表示される様子を示す図である。
【図９】消色印刷のページ設定が完了した状態を示す図である。
【図１０】第２の実施の形態におけるプリンタドライバの設定画面の一例を示す図である。
【図１１】消色／非消色印刷部数を設定するための設定画面の一例を示す図である。
【図１２】カラー設定部７０１で“消色”が選択された状態を示す設定画面の一例である。
【図１３】消色印刷の設定とフィニッシングの設定をする場合に制御部１０５が行う判断フローチャートの一例である。
【図１４】消色印刷の設定前に、ステイプル等のフィニッシングの設定が選択された場合の処理の流れ等の一例を示すフローチャートである。
【図１５】第４の実施の形態におけるプリントジョブ生成処理について説明するフローチャートである。
【図１６】変形例における印刷設定画面の一例を示す図である。
【図１７】画像形成装置２ａの処理について説明するフローチャートである。
【発明を実施するための形態】
【０００８】
（第１の実施の形態）
第１の実施の形態について、図面を参照しつつ説明する。図１は、第１の実施の形態による印刷システムのハードウェア構成を示すハードウェアブロック図である。
【０００９】
図１に示すように、第１の実施の形態による印刷システムは、例えば、画像処理装置（印刷処理装置）１と、画像形成装置２ａ（ＭＦＰ：Ｍｕｌｔｉ  Ｆｕｎｃｔｉｏｎ  Ｐｅｒｉｐｈｅｒａｌ）等を備えている。画像処理装置１と画像形成装置２ａは、例えばＬＡＮ（Ｌｏｃａｌ  Ａｒｅａ  Ｎｅｔｗｏｒｋ）やＷｉ−Ｆｉ（Ｗｉｒｅｌｅｓｓ  Ｆｉｄｅｌｉｔｙ）等の有線もしくは無線の電気通信回線Ｎにより相互通信可能に接続されている。
【００１０】
画像処理装置１は、電気通信回線Ｎを介して、画像形成装置２ａにプリントジョブ（印刷データ）を送信する。画像形成装置２ａは、受信するプリントジョブに基づいて、プリントジョブが示す処理内容の印刷処理を実行する。
【００１１】
画像処理装置１は、例えば、ＰＣ（Ｐｅｒｓｏｎａｌ  Ｃｏｍｐｕｔｅｒ）やスマートフォン等の携帯端末等からなるネットワーク端末である。画像処理装置１は、例えば、入力部１０１、入力Ｉ／Ｆ１０２、表示部１０３、表示Ｉ／Ｆ１０４、制御部１０５、記憶装置１０６および通信Ｉ／Ｆ１０７等を備える。
【００１２】
ここで、入力部１０１は、キーボード、マウス、タッチパネル、タッチパッド、ペンタブレット（ｇｒａｐｈｉｃｓ  ｔａｂｌｅｔ）、専用ボタン等が用いられる。入力部１０１は、ユーザの操作入力を受け付け、その操作入力内容に応じた信号に変換する。
【００１３】
入力Ｉ／Ｆ１０２は、入力部１０１にて受け付けるユーザの操作入力を示す信号を制御部１０５に受け渡す。
【００１４】
表示部１０３は、例えば、電子ペーパ、ＬＣＤ（Ｌｉｑｕｉｄ  ｃｒｙｓｔａｌ  ｄｉｓｐｌａｙ）、ＥＬ（Ｅｌｅｃｔｒｏｎｉｃ  Ｌｕｍｉｎｅｓｃｅｎｃｅ）、ＰＤＰ（Ｐｌａｓｍａ  Ｄｉｓｐｌａｙ  Ｐａｎｅｌ）、ＣＲＴ（Ｃａｔｈｏｄｅ  Ｒａｙ  Ｔｕｂｅ）等が用いられる。入力部１０１および表示部１０３の機能を、いわゆるタッチパネルディスプレイによって実現しても良い。
【００１５】
表示Ｉ／Ｆ１０４は、例えば制御部１０５における演算処理に基づく表示制御信号を表示部１０３へと受け渡す。
【００１６】
制御部１０５は、画像処理装置１における、演算処理、表示制御処理、プリントジョブの生成処理等の各種処理に必要な演算等を行う。制御部１０５は、例えばプロセッサ１０５ａおよびメモリ１０５ｂ等を備える。メモリ１０５ｂは、例えばＲＯＭおよびＲＡＭを備える。
【００１７】
制御部１０５は、記憶装置１０６からメモリ１０５ｂにロードされたプログラムを実行することにより種々の機能を実現する役割も有している。なお、プロセッサ１０５ａは、例えばＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）等により構成することができる。
制御部１０５の機能の一部または全部を、必要に応じてＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって回路的に実現してもよい。
【００１８】
記憶装置１０６は、例えばＨＤＤ（Ｈａｒｄ  Ｄｉｓｋ  Ｄｒｉｖｅ）やフラッシュメモリ等により構成することができる。具体的に、記憶装置１０６は、例えば、アプリケーションプログラム１０６ａ、プリンタドライバ１０６ｂ、オペレーティングシステム１０６ｃや各種設定値等を格納している。アプリケーションプログラム１０６ａは、一般的なソフトウェアに加え、Ｗｅｂアプリケーションを含む。プリンタドライバ１０６ｂは、オペレーティングシステム１０６ｃのソフトウェアとして動作し、アプリケーションプログラム１０６ａからの印刷指示に合わせて、画像形成装置２ａへ送信されるプリントジョブを生成する。
【００１９】
制御部１０５が実行するプリンタドライバｂの設定画面等は、例えば、画像処理装置１の表示部１０３に表示される。
【００２０】
通信Ｉ／Ｆ１０７は、画像処理装置１側における、画像形成装置２ａとの通信処理のインターフェースとしての役割を有している。通信Ｉ／Ｆ１０７は、例えば、Ｂｌｕｅｔｏｏｔｈ（登録商標）、赤外線接続、光接続といったＩＥＥＥ８０２．１５、ＩＥＥＥ８０２．１１、ＩＥＥＥ８０２．３、ＩＥＥＥ１２８４等の適切な無線または有線の双方向性インターフェース１３０を介して画像形成装置２ａと通信する。通信Ｉ／Ｆ１０７は、更に、ＵＳＢ規格の接続端子が接続されるＵＳＢ接続部やパラレルインタフェース等を含んでも良い。制御部１０５は、通信Ｉ／Ｆ１０７を介して画像処理装置１やＵＳＢデバイス、その他外部機器と通信する。
【００２１】
次に、画像形成装置２ａについて説明する。画像形成装置２ａは、例えば、通信Ｉ／Ｆ２０１、操作パネル２０２、スキャナ部２０３、プリンタ部２０４１ａ、プリンタ部２０４２ａ、制御部２０５、記憶装置２０６、ＦＣＵ２０７等を備える。
【００２２】
通信Ｉ／Ｆ２０１は、画像形成装置２ａ側における、画像処理装置１との通信処理のインターフェースとしての役割を有している。通信Ｉ／Ｆ２０１は、例えば、Ｂｌｕｅｔｏｏｔｈ（登録商標）、赤外線接続、光接続といったＩＥＥＥ８０２．１５、ＩＥＥＥ８０２．１１、ＩＥＥＥ８０２．３、ＩＥＥＥ１２８４等の適切な無線または有線の双方向性インターフェース１３０を介して画像形成装置１４０と通信する。通信Ｉ／Ｆ２０１は、更に、ＵＳＢ規格の接続端子が接続されるＵＳＢ接続部やパラレルインタフェース等を含んでも良い。制御部２０５は、通信Ｉ／Ｆ２０１を介して画像処理装置１やＵＳＢデバイス、その他外部機器と通信する。
【００２３】
操作パネル２０２は、ユーザの操作入力を受け付け、その操作入力内容に応じた信号に変換する。操作パネル２０２は、タッチパネル式の表示部２０２ａと各種の操作キー２０２ｂとを有する。操作キー２０２ｂは、例えば、テンキー、リセットキー、ストップキー、スタートキー等を有する。また、表示部２０２ａは、例えば、シートサイズ、コピー枚数、印刷濃度設定、あるいは仕上げ（綴じ、折り）等の印刷条件に関する指示項目を表示する。表示された項目の指示が、表示部２０２ａから入力される。
【００２４】
スキャナ部２０３は、原稿を画像として読み取る内蔵された走査読取ユニットと、原稿載置台、読取位置へ原稿を搬送する自動原稿送り装置とを有する。スキャナ部２０３の走査読取ユニットは、原稿載置台あるいは自動原稿送り装置にセットされた原稿を読取る。
【００２５】
プリンタ部２０４１ａ、２０４２ａはスキャナ部２０３で読取った原稿の画像データに対応する画像や、画像処理装置１から送られてきた画像データに対応する画像をシート上へ形成する。プリンタ部２０４１ａは、消色可能な色材（消色色材）を使った印刷（消色印刷）が可能な画像形成部である。
【００２６】
ここで、消色可能な色材（消色色材）としては、例えば、ロイコ染料の顕色、消色機構を利用した感熱消色性のトナーやインクのように、加熱することによって色を消去することのできる色材を採用することができる。また、消色可能な色材（消色色材）としては、薬品を用いたり、光を照射したりすることによって色を消去可能な色材を採用することもできる。また、ここでの“消色”とは、化学反応によって色を消去する手法に限らず、シート上に色材によって形成された像を物理的に削り落とすことによってシート上に形成された像そのものを消去する手法も含まれる。
【００２７】
また、ここでの“消色”には、色材の色を消すことで像を無色にするだけでなく、例えば、色材の色を完全には無色ではない状態（例えば半透明）とする場合も含まれる。すなわち、対象となる色材に対して消色処理を施した結果、その色材により形成された像の視認が困難な状態となればよい。この他、色を透明に近づける場合に限らず、色紙に印字した像の色をその色紙の色に近づける等、例えば印刷対象となるシートの色に近づけることで像の視認を困難化する処理もここでの“消色”の概念に含むものとする。なお、長期間紫外線にさらされる等による経年変化による、いわゆる“退色”は、ここでの消色の概念には含まれない。
【００２８】
プリンタ部２０４２ａは、消色できない色材（非消色色材）を使った印刷（非消色印刷）が可能な画像形成部である。
【００２９】
ここで、消色できない色材（非消色色材）とは、上述の消色色材とは異なり、加熱、薬品の使用、光の照射等の処理を施すことによる色の消去ができない色材である。
【００３０】
制御部２０５は、画像形成装置２ａにおける、演算処理、表示制御処理、プリントジョブの解析処理、印刷処理、シート搬送処理等の各種処理に必要な演算等を行う。制御部２０５は、例えばプロセッサ２０５ａおよびメモリ２０５ｂ等を備えている。プロセッサ２０５ａは、例えばＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）等により構成される。メモリ２０５ｂは、例えばＲＯＭおよびＲＡＭを備える。
【００３１】
制御部２０５は、記憶装置２０６からメモリ２０５ｂにロードされたプログラムを実行することにより種々の機能を実現する役割も有している。制御部２０５は、ＲＯＭあるいは、記憶装置２０６に格納された制御プログラム等に基づいて、操作パネル２０２、スキャナ部２０３、プリンタ部２０４１ａ、２０４１ｂ、ファクシミリコントロールユニット（ＦＣＵ）２０７を制御する。制御部２０５はさらに、画像データを補正、あるいは伸張する機能を有する。制御部２０５の機能の一部または全部を、必要に応じてＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって回路的に実現してもよい。
【００３２】
記憶装置２０６は、例えばＨＤＤ（Ｈａｒｄ  Ｄｉｓｋ  Ｄｒｉｖｅ）等の磁気記憶装置、光学式記憶装置、半導体記憶装置（フラッシュメモリ等）により構成する。記憶装置２０６は、例えば、通信Ｉ／Ｆ２０１を介して画像処理装置１から受信されるプリントジョブの画像データやスキャナ部２０３にてスキャンされた画像データを一時的に記憶する。また、記憶装置２０６は、画像形成装置２ａにて実行される各種プログラム（例えば、コピー機能、プリント機能、スキャナ機能、ファクシミリ機能、ネットワークファイル機能といった画像形成装置が有する機能を実行するプログラムを含む）や画像処理装置１等の外部機器に提供すべき各種プログラム、あるいは各種設定値等を格納する。
【００３３】
このような構成の画像処理装置１および画像形成装置２ａから構成される印刷システムにおいて、画像処理装置１は、ユーザの操作入力等に基づき、インストールされているプリンタドライバ１０６ｂを用いて所望のプリントジョブを生成する。生成されたプリントジョブは画像形成装置２ａに送信され、画像形成装置２の制御部２０５にて解析され、プリントジョブに応じた印刷処理がプリンタ部２０４１ａおよびプリンタ部２０４２ａの少なくともいずれかにおいて実行される。なお、プリンタドライバ１０６ｂは、プリントジョブを直接、画像形成装置２ａへ送信するものに限らない。例えば、ネットワーク上の印刷サーバ（不図示）へプリントジョブを送信するものを含む。この場合、プリントジョブは印刷サーバに一時的に保存される。画像形成装置２ａの操作パネル２０１を介して、あるいは、画像処理装置１から上記プリントジョブの印刷を開始させるための指示を印刷サーバへ送り、印刷サーバに保存されたプリントジョブを画像形成装置２ａが取得する態様などが考えられる。
【００３４】
画像形成装置２ａは、プリンタ部２０４１ａおよびプリンタ部２０４２ａの内のいずれか一方による印刷処理を実行する。また、画像形成装置２ａは、同一シート上にプリンタ部２０４１ａおよびプリンタ部２０４２ａ双方を用いた印刷処理を実行する。
【００３５】
図２（ａ）は、第１の実施の形態による画像形成装置２ａの概略構成を示す概略縦断面図である。
【００３６】
図２（ａ）に示すように、第１の実施の形態による画像形成装置２ａでは、消色色材としてインクを用いるインクジェット方式のプリンタ部２０４１ａと、非消色色材としてトナーを用いる電子写真方式のプリンタ部２０４２ａとを備える。
【００３７】
第１の実施の形態による画像形成装置２ａにおける画像形成動作の一例について説明する。例えば、非消色色材として通常のトナーを使用するプリンタ部２０４２ａによる画像形成を行う場合、まず、スキャナ部２０３にて原稿をスキャンして得られる画像データに基づいて生成されるコピージョブや外部機器から受信されるプリントジョブ等に従い、プリンタ部２０４２ａの不図示の感光体上に形成されるトナー像が中間転写ベルトＢのベルト面上に転写される（一次転写）。中間転写ベルトＢに転写されたトナー像は、二次転写ローラＲの作用により、給紙カセットＣや手差しトレイ等から給紙されるシート上に転写される（二次転写）。シート上に二次転写されたトナー像は、その後定着器Ｈにて加熱定着され、プリンタ部２０４１ａを通過して排紙トレイＴ上に排出される。
【００３８】
一方、消色色材として消色可能な消色インクを使用するインクジェット方式のプリンタ部２０４１ａによる画像形成を行う場合、スキャナ部２０３にて原稿をスキャンして得られる画像データに基づいて生成されるコピージョブや外部機器から受信されるプリントジョブ等に従い、給紙カセットＣや手差しトレイ等から給紙されるシート上に、インク像を形成する。消色色材によるインク像が形成されたシートは、排紙トレイＴ上に排出される。
【００３９】
第１の実施の形態による画像形成装置２ａは、１枚のシートに対してプリンタ部２０４１ａおよび２０４２ａの双方による画像形成を行うこともできる。この場合、例えば、プリンタ部２０４２ａにて形成されたトナー像が定着されたシートに対して、さらにプリンタ部２０４１ａによる画像形成を行い、その後排紙トレイＴ上に排出する。
【００４０】
なお、プリンタ部２０４１ａ、２０４２ａは、上記の構成に限られるものではなく、プリンタ部２０４１ａが電子写真方式の構成であり、プリンタ部２０４２ａがインクジェット方式の構成であってもよい。あるいは、プリンタ部２０４１ａおよびプリンタ部２０４２ａの双方の構成がインクジェット方式であってもよい。
【００４１】
図２（ｂ）は、第１の実施の形態による画像形成装置の他の例である画像形成装置２ｂの概略構成を示す概略縦断面図である。
【００４２】
図２（ａ）に示す構成では、プリンタ部２０４１ａとプリンタ部２０４２ａが、シート搬送方向において定着器Ｈを挟んで異なる位置に配置されているが、これに限られるものではない。いわゆる多連タンデム方式を採用する場合には、例えば、図２（ｂ）に示すように、プリンタ部２０４１ａとプリンタ部２０４２ａの双方が同じ中間転写ベルトＢ上にトナー像を形成する構成を採用することもできる。もちろん、中間転写ベルトＢのベルト面に沿って配列される印刷ユニットの数は４つに限らず５つあるいはそれ以上であってもよい。
【００４３】
また、図２（ｂ）では一例として、消色色材としての消色トナーを用いるプリンタ部２０４１ａがＫ（ブラック）での画像形成が可能であり、非消色色材としての通常のトナーを用いるプリンタ部２０４２ａがＹ（イエロー）、Ｍ（マゼンタ），Ｃ（シアン）の複数色での画像形成が可能な例を示しているが、これに限られるものではない。図２（ａ）および（ｂ）に示した印刷可能な色の組み合わせについては、図２に示す例よりも少なくてもよいし、５種類以上の色の組み合わせでの印字が可能な構成とすることもできる。また、複数種類の色の組み合わせでの印刷を可能にする構成としては、図２に例示した多連タンデム方式に限らず、いわゆるリボルバ方式を採用することもできることは言うまでもない。
【００４４】
次に、ドキュメントの任意の頁範囲に対する任意の印刷設定の方法について図３乃至図６を用いて説明する。図３は、ドキュメントの任意の頁範囲に対する任意の印刷設定の方法について説明するためのフローチャートである。
【００４５】
図４は、画像処理装置１の制御部１０５が実行するプリンタドライバ１０６ｂの操作画面の一例を示す図である。図５および図６は、図４のページ設定ボタン７０３が押されると表示部１０３に表示される消色印刷するページの設定を行う設定画面の一例を示す図である。
【００４６】
図３のＡＣＴ１０１において、制御部１０５は、消色印刷の指定を受けたか判断する。例えば、制御部１０５は、図４に示すプリンタドライバ１０６ｂの操作画面７００を介して、生成するプリントジョブのカラー方式の設定を取得し、取得したカラー方式が消色印刷を指示するものかを判断する。ここで、プリンタドライバ１０６ｂの操作画面７００は、例えば、画像処理装置１の表示部１０３に表示される。
【００４７】
本実施形態によるプリンタドライバ１０６ｂの操作画面７００は、印刷する際のカラー方式を選択するカラー設定部７０１を有する。カラー設定部７０１は、例えばプルダウンメニューによりカラー方式を選択することができる（図４に示す矢印Ｑを参照）。例えば、本実施形態では、“自動カラー”、“フルカラー”、“白黒”、“２色”、“消色”の内のいずれかを任意に選択可能である。
【００４８】
プリンタドライバ１０６ｂは、操作画面７００で選択された各種設定と、印刷対象の画像データとに基づきプリントジョブを生成する。プリンタドライバ１０６ｂの操作画面７００で選択される各種設定としては、例えば、（１）印刷部数、（２）原稿サイズ、（３）出力する印刷シートサイズ、（４）原稿をシートに印刷する際の拡大／縮小率、（５）給紙方法、（６）シートの種別等、（７）印刷方式（ソート）、（８）両面印刷、（９）Ｎｉｎ１印刷、（１０）ステイプル処理、（１１）パンチ処理などがある。プリンタドライバ１０６ｂは、生成したプリントジョブを、例えば、画像形成装置２ａへ送信する。画像形成装置２ａは、取得したプリントジョブに含まれる上記カラー方式の設定等の各種設定に基づいて画像を形成する。
【００４９】
プリントジョブが“自動カラー”の設定を含む場合、画像形成装置２ａは、取得したプリントジョブの内容に基づいて、印刷対象となるドキュメントが黒以外の色を含んでいるか否かを自動的に判断し、原稿が黒以外の色を含んでいればフルカラーで印刷し、黒以外の色を含んでいなければモノクロ（白黒）印刷を行う。プリントジョブが“フルカラー”の設定を含む場合、画像形成装置２ａは、原稿が含む色の種類に拘わらず、常に複数色（例えばＹ、Ｍ，Ｃ，Ｋ）の色材を使用して印刷する。プリントジョブが“白黒”の設定を含む場合、画像形成装置２ａは、原稿が含む色の種類に拘わらず、常にブラック（Ｋ）の色材のみを用いて印刷を行う。プリントジョブが“２色”の設定を含む場合、画像形成装置２ａは、プリンタドライバの操作画面上で選択された２つの色（印刷色）により原稿の印刷を行う。プリントジョブが“消色”の設定を含む場合、画像形成装置２ａは、消色色材を用いた印刷を行う。
【００５０】
もちろん、画像形成装置において利用可能なカートリッジ（あるいは色材）の構成等に応じて、消色色材での複数色での印字を可能としたり、非消色色材で単色での印字しか行えない構成としたりすることも可能である。また、上記はカラー方式の一例を示したが、これに限定されるものではない。例えば、画像形成装置において消色色材のカートリッジが、Ｋ、ブルーの２色を使用できる場合には、カラー設定部７０１において、“消色（Ｋ）”あるいは、“消色（ブルー）”といった様に、結果として印刷に使用する色である印刷色とともにカラー方式を設定できるものであっても良い。
【００５１】
カラー設定部７０１で“消色”が選択された場合（ＡＣＴ１０１，Ｙｅｓ）、制御部１０５（第１設定取得部）は、消色色材を用いて印刷することを示す設定情報としての“第１設定”を取得する（ＡＣＴ１０２）。図４は、一例として、カラー設定部７０１で“消色”を選択した状態を示す。
【００５２】
一方、カラー設定部７０１にて“消色”が選択されない場合（ＡＣＴ１０１，Ｎｏ）、制御部１０５は印字対象であるドキュメントの対象ページの全ページに対して非消色印刷する設定とする（ＡＣＴ１１０）。
【００５３】
なお、図４では色選択ボタン７０２がグレーアウト（破線で表示）しているが、色選択ボタン７０２は、カラー設定部７０１で“２色”が選択された場合に選択可能となる。
【００５４】
カラー設定部７０１で“２色”が選択され、色選択ボタン７０２が選択されると、使用する色の選択画面が表示され、選択可能な色の中から所望の色（印刷色）を選択することができる。なお、２色印刷では、１色は黒とし、黒以外の部分に使用する色を選択するようにした構成であっても良いし、２色それぞれを任意に選択する構成であっても良い。
【００５５】
図４に示すページ設定ボタン７０３は、後述する消色印刷ページ設定を行う際に選択されるボタンアイコンであり、原稿を印刷する１つのジョブにおいて、消色印刷するページと、非消色印刷するページとを混在させた状態で印刷を実行可能とするものである。
【００５６】
また、制御部１０５は、“ページ設定”の設定がされたかを判断する（ＡＣＴ１０３）。例えば、制御部１０５は、図４におけるカラー設定部７０１で、“消色”が選択された場合であって（ＡＣＴ１０１，Ｙｅｓ）、ページ設定ボタン７０３が選択されない場合、“ページ設定”の設定が選択されないと判断する（ＡＣＴ１０３，Ｎｏ）。この場合、制御部１０５は、プリントジョブとして生成するドキュメントの対象ページの全ページを消色印刷する設定とする（ＡＣＴ１１１）。
【００５７】
一方、ページ設定ボタン７０３が押されると、例えば、図５または図６の消色印刷するページの設定を行う設定画面８００が表示部１０３に表示される。図５および後述の図６では、説明を簡単にするため、選択可能な消色色材により表現されるカラーが１種類である場合を想定するものとする。ここで、本実施の形態における選択可能な消色色材により表現されるカラーが１種類である場合とは、例えば、印刷システム上利用可能な画像形成装置２ｂのプリンタ部２０４１ａのトナーあるいはインクジェット等の色材のカートリッジが１つ（あるいは１色）である場合や、プリンタ部２０４１ａが複数のカートリッジを有する場合であっても、トナーエンプティ等が生じることにより、選択可能な色が１色となった場合などがある。
【００５８】
図５に示すように、設定画面８００（消色印刷ページ設定画面）は、印字対象であるドキュメントを構成する複数ページのうち、ユーザにより選択された印刷設定（第１設定）に基づいて印刷するページ範囲（第１の頁範囲）を設定するページ設定部８０１を有する。設定画面８００は、例えば、ページ設定部８０１として、“ページ指定”、“奇数ページ／表面”、“偶数ページ／裏面”の設定項目を有し、各設定項目は、それぞれ択一的に選択可能となっている。図５に示すように、ページ番号によって対象ページを特定する“ページ指定”が選択された場合には、“ページ指定”に対応するテキストボックス７０４内に消色印刷したいページ番号を入力設定可能となる。“ページ指定”の対象となるページを範囲で指定する場合には、例えば“１−２５”のように入力し、対象となるページ番号を個別に指定する場合には、例えば“１，５，９”のように入力することができる。
【００５９】
制御部１０５（頁設定取得部）は、ページ設定画面８００において、印字対象であるドキュメントを構成する複数ページのうち、ユーザにより選択された印刷設定（第１設定）に基づいて印刷するページ範囲（第１の頁範囲）が指定されると（ＡＣＴ１０３，Ｙｅｓ）、当該ページ範囲を“頁設定”として取得する（ＡＣＴ１０４）。
【００６０】
制御部１０５（第２設定取得部）は、非消色色材を用いて印刷する際のカラー方式あるいは印刷色が設定されているかを判定する（ＡＣＴ１０５）。ここで、非消色印刷のカラー方式あるいは印刷色が設定されている場合（ＡＣＴ１０５，Ｙｅｓ）、制御部１０５（第２設定取得部）は、印刷対象であるドキュメントを構成する複数ページの内の、消色色材で印刷する範囲として選択されたページ範囲（第１の頁範囲）以外のページ範囲（第２の頁範囲）に対して、適用する印刷設定として非消色色材で印刷するカラー方式あるいは印刷色の印刷設定を“第２設定”として取得する（ＡＣＴ１０６）。
【００６１】
一方、非消色印刷についてのカラー方式あるいは印刷色の設定が行われない場合（ＡＣＴ１０５，Ｎｏ）、制御部１０５は、第１の頁範囲と異なる第２の頁範囲に対して、デフォルトの非消色印刷のカラー方式あるいは印刷色の設定を“第２設定”として取得する（ＡＣＴ１１２）。
【００６２】
制御部１０５（生成部）は、印刷設定の対象となるドキュメントを構成する複数ページのうち、取得された“頁設定”が示す“第１の頁範囲”を“第１設定”に基づいて消色色材で画像形成装置２ａにて印刷させ、“第２の頁範囲”を“第２設定”に基づいて非消色色材で画像形成装置２ａにて印刷させるプリントジョブ（印刷データ）を生成する（ＡＣＴ１０９）。
【００６３】
この他、図５に示すページ設定部８０１において“奇数ページ／表面”が選択された場合には、制御部１０５は、画像形成装置２ａにおいて奇数ページを消色色材で印刷させ、指定されなかったページを非消色色材で印刷させるプリントジョブを生成する。また、図５に示すページ設定部８０１において“偶数ページ／裏面”が選択された場合には、制御部１０５は、画像形成装置２ａにおいて偶数ページを消色色材で印刷させ、指定されなかったページを非消色色材で印刷させるプリントジョブを生成する。
【００６４】
図５のページ設定画面８００には、さらに非消色印字する際に印刷に用いるカラー方式を指定するための非消色カラー設定部７０５がある。非消色カラー設定部７０５は、カラー設定部７０５ａと色選択ボタン７０５ｂを有する。カラー設定部７０５ａは、例えば、本実施形態では、“自動カラー”、“フルカラー”、“白黒”、“２色”の内のいずれかを任意に選択可能である。これらのカラー方式の説明は、カラー設定部７０１のカラー方式の説明と共通するので省略する。ここでカラー方式が設定されると、設定されたカラーで、ページ設定部８０１で設定されなかったページ（第２の頁範囲）を非消色印刷する。図５に示す色選択ボタン７０５ｂは、カラー設定部７０５ａで“２色”が選択された場合に使用する色（印刷色）を不図示のカラーパレット等により選択する。色が選択されると、色選択ボタン７０５ｂの横に、選択された色が表示される。なお、カラー設定部７０５ａで“２色”以外のカラー方式が選択された場合には、色選択ボタン７０５ｂはグレーアウトの状態になり、選択できない。
【００６５】
上述の例では、ページ指定のためのテキストボックス７０４（図５を参照）に入力されたページが、消色印刷の対象となり、指定されなかったページが自動的に非消色印刷の対象となる場合を例示したが、これに限られるものでない。例えば、ページ指定のためのテキストボックス７０４（図５を参照）に入力されたページを“非消色印刷”の対象とし、指定されなかったページを自動的に“消色印刷”の対象とするようにしてもよい。すなわち、制御部１０５は非消色色材を用いて印刷することを示す設定情報として“第１設定”を取得し、“第１設定”に基づいて印刷するページ範囲（第１の頁範囲）を“頁設定”として取得し、第１の頁範囲と異なる第２の頁範囲に対して、“第２設定”として消色印刷の印刷設定を取得するとしても良い。
【００６６】
なお、印刷したくないページは、プリンタドライバとは異なる、文書作成ソフトや表計算ソフト等の各種アプリケーション毎に備えられている印刷プログラムから印刷するページを指定することで、指定されなかったページを印刷しないようにできる。この他、消色印刷するページ、非消色印刷するページの両方を指定させ、指定されなかったページは印刷しないようにしても良い。
【００６７】
また、図６は、消色印刷ページ設定画面において、さらに、チェックボックス７０６にて“非消色印字をしない”ことを設定可能にした一例を示す。図６に示すように、消色したいページを指定した場合（ここでは、１〜２５ページに設定されている。）であって、“非消色印字をしない”が選択された場合には（ＡＣＴ１０７，Ｙｅｓ）、プリンタドライバ１０６ｂは、ページ設定部８０１で指定したページのみを消色印刷し（ＡＣＴ１０８）、指定されなかったページは、消色印刷も非消色印刷も実行させないように印刷設定する。“非消色印字をしない”が選択された場合には、非消色印刷のカラー設定部７０５ａおよび色選択ボタン７０５ｂはグレーアウトし、非消色印刷のカラー選択ができない状態となる。一方、“非消色印字をしない”が選択されない場合（ＡＣＴ１０７，Ｎｏ）、制御部１０５は、設定された非消色印刷および消色印刷についての設定内容をプリントジョブに反映する設定内容とする（ＡＣＴ１１３）。
【００６８】
（第１の実施の形態の変形例）
次に、消色印刷のカラー方式（あるいは印刷色）の選択機能を有するプリンタドライバ１０６ｂの実施の形態について説明する。図７は、消色印刷のカラー方式選択機能を有するプリンタドライバ１０６ｂの消色印刷ページ設定画面の一例を示す。本実施の形態のプリンタドライバ１０６ｂは、図２（ａ）および図２（ｂ）に例示したような互いに異なる色の消色色材の複数のカートリッジを備える画像形成装置において印刷させる場合に、消色印刷のカラー方式を設定してプリントジョブを生成する。ここで、異なる色の消色色材の複数のカートリッジを備える画像形成装置とは、例えば、非消色カートリッジの他に、ブラック（Ｋ）及びブルー（Ｂ）の２種類の消色カートリッジ、ＹＭＣの３種類の消色カートリッジ、ＹＭＣＫの４種類の消色カートリッジ、あるいはＣＫ等の２種類の消色カートリッジを備える構成などがある。非消色カートリッジ、消色カートリッジの装着の組み合わせは、例示したものに限定されず、様々な組み合わせが可能である。また、例示したＹＭＣＫあるいはＢ以外の色の消色カートリッジを装着しても良い。
【００６９】
図７に示すページ設定画面８００’では、一例として、非消色印刷のカラー方式だけでなく、消色印刷のカラー方式も同様に任意に選択可能となっている。図７の消色印刷のカラー設定部７０７ａのプルダウンが選択されると、図８に示すように、選択可能となる項目がプルダウンメニューで表示される。なお、消色印刷のカラー設定部７０７ａで選択可能となるカラーメニューは、画像形成装置２ａに装着されるカートリッジの組み合わせによって異なる。例えば、“黒色の単色カラー”あるいは“消色（Ｋ）”や“青色の単色カラー”あるいは“消色（ブルー）”での印刷等を選択することもできる。
【００７０】
消色印刷のカラー設定部７０７ａの横にある色選択ボタン７０７ｂは、カラー設定部７０７ａで“２色”が選択された場合に印刷に使用する色を選択する。カラー方式が選択されると、色選択ボタン７０７ｂの横の正方形の枠７０７ｂａ内に、選択された色が表示される。なお、カラー設定部７０７ａで“２色”以外が選択された場合には、色選択ボタン７０７ｂはグレーアウトの状態になり、選択できない状態となる。非消色印刷のカラー選択部７０７ａは、図５および図６にて説明したものと同様であるので、ここでの説明は省略する。
【００７１】
このように、制御部１０５は、画像形成装置２ａにて利用可能な色材により表現される互いに異なる複数の色の内のいずれにより印刷させるかを指定する色選択情報（印刷色）を含む設定情報を取得することができる。
【００７２】
図９は、消色印刷のページ設定が完了した状態を示す。プリンタドライバにより表示される設定画面は、消色印刷ページ設定が設定された場合に、設定条件の一覧を表示する設定一覧表示部７０８を備える。この設定一覧表示部７０８は、消色印刷ページ設定が設定され、１つのジョブにおいて、消色印刷するページと、非消色印刷するページとを混在させた印刷設定がなされたことを、ユーザに対して表示する。
【００７３】
図９に示すプリンタドライバの設定画面の設定一覧表示部７０８では、“消色ページ指定：有“消色カラー：白黒“非消色カラー：白黒”と表示することにより、ユーザに消色印刷と非消色印刷のページが混在する印刷設定であることを表示している。なお、設定一覧表示部７０８に表示される情報は、ユーザに消色印刷するページと、非消色印刷するページとを混在させた印刷設定がなされたことを伝えられるメッセージやアイコンを表示する構成であっても良い。
【００７４】
なお、設定一覧表示部には、消色印刷ページ設定だけでなく、それ以外の設定、両面印刷や、Ｎｉｎ１などの印刷設定が表示されても良い。また、プリンタドライバ１０６ｂの操作画面は、画像処理装置１の表示部１０３に表示されるものを示したが、これに限定されない。例えば、プリンタドライバ１０６ｂの操作画面は、プリンタドライバ１０６ｂが実行される画像処理装置１と異なる外部端末の表示部に表示される構成であっても良い。
【００７５】
（第２の実施の形態）
続いて、第２の実施の形態について説明する。
【００７６】
第２の実施の形態は、上述の第１の実施の形態の変形例である。以下、第２の実施の形態において、第１の実施の形態にてすでに説明した部分と同様な機能を有する部分については同一符号を付し、説明は省略する。第２の実施の形態において採用されるハードウェア構成は、一例として上述の第１の実施の形態と同様な構成を採用するものとする。
【００７７】
第１の実施の形態では、消色色材での印刷対象となるページ範囲の指定について説明したが、第２の実施の形態では、さらに、１つのドキュメントデータについて生成する１つのプリントジョブにおいて、消色印刷する部数と、非消色印刷する部数とをそれぞれ個別に設定可能とする。
【００７８】
図１０は、第２の実施の形態におけるプリンタドライバ１０６ｂの設定画面の一例を示す図である。図１０に示す設定画面７００は、図８にて例示した設定画面７００と比較して、“消色／非消色印刷部数”を設定するためのボタン７０９を備える点が異なる。消色／非消色印刷部数設定ボタン７０９は、同一のドキュメントデータについて“消色印刷する部数”と“非消色印刷する部数”とをそれぞれ設定するためのボタンである。消色／非消色印刷部数設定ボタン７０９は、カラー設定部７０１で消色印刷が選択された場合に、選択可能となる。なお、“消色／非消色印刷部数”と“ページ指定”の設定は、いずれかが択一的に選択される。“カラー印刷”の設定で、“消色”が選択された場合であって、“消色／非消色印刷部数”と“ページ指定”の設定のいずれも選択されない場合には、その印刷設定に基づいて生成されるプリントジョブは、全ての部数について消色印刷を実行する。
【００７９】
消色／非消色印刷部数設定ボタン７０９の横に表示される矩形領域７０９ａおよび７０９ｂ内に表示される数字は、それぞれ、“消色印刷する部数”（図１０に示す例では１部）と“非消色印刷する部数”（図１０に示す例では０部）を表し、消色／非消色印刷部数設定ボタン７０９が選択されていない状態ではグレーアウト表示され、消色／非消色印刷部数設定ボタン７０９が選択されると選択可能な表示状態となる。消色／非消色印刷部数設定ボタン７０９が選択されたばかりの状態では、まだ、印刷部数の詳細な設定が行われていないので、ジョブ全体の部数設定（図１０ではデフォルトの“１”（排紙先の設定部の下の部数指定欄））に対応して、消色印刷の部数が“１”と表示されている。
【００８０】
図１０において、消色／非消色印刷部数設定ボタン７０９に対応するラジオボタンがチェックされ（図１０に示す選択状態）、さらに消色／非消色印刷部数設定ボタン７０９が押下されると、制御部１０５は、図１１に例示するような、消色／非消色印刷部数を設定するための部数設定画面８１０を表示部１０３に表示させる。図１１に例示する部数設定画面８１０において、ユーザは、印刷設定の対象となっているドキュメントに基づく、“消色印刷する部数”および“非消色印刷する部数”を設定する。また、図１１に例示する部数設定画面８１０では、第１の実施の形態と同様に、消色印刷を行う場合のカラー方式や非消色印刷を行う場合のカラー方式についても設定可能としている。
【００８１】
図１１に示す部数設定画面８１０では、図１１の消色印刷のカラー設定部７０７ａのプルダウンが選択されると、選択可能となる項目がプルダウンメニューで表示される。なお、消色印刷のカラー設定部７０７ａで選択可能となるカラーメニューは、画像形成装置２ａに装着されるカートリッジの組み合わせによって異なる。例えば、“黒色の単色カラー”や“青色の単色カラー”での印刷等を選択することもできる。
【００８２】
消色印刷のカラー設定部７０７ａの横にある色選択ボタン７０７ｂは、カラー設定部７０７ａで“２色”が選択された場合に印刷に使用する色を選択する。カラー方式が選択されると、色選択ボタン７０７ｂの横の正方形の枠７０７ｂａ内に、選択された色が表示される。なお、カラー設定部７０７ａで“２色”以外が選択された場合には、色選択ボタン７０７ｂはグレーアウトの状態になり、選択できない状態となる。非消色印刷のカラー選択部７０５ａおよび色選択ボタン７０５ｂについては、上述の図５および図６にて説明したものと同様であるので、ここでの説明は省略する。
【００８３】
これにより、ユーザは、消色印刷と非消色印刷のプリントジョブの指示を別々に行う必要が無く、利便性が高い。
【００８４】
（第３の実施の形態）
続いて、第３の実施の形態について説明する。
【００８５】
第３の実施の形態は、上述の各実施の形態の変形例である。以下、第３の実施の形態において、上述の各実施の形態にてすでに説明した部分と同様な機能を有する部分については同一符号を付し、説明は省略する。第３の実施の形態において採用されるハードウェア構成は、一例として上述の第１の実施の形態と同様な構成を採用するものとする。
【００８６】
消色印刷の目的は、“印刷したシートを再利用すること”であるので、消色印刷をする場合に、ステイプル、中折り、糊付け、ホールパンチといった様にシートに傷をつけたり、除去困難な残留物が生じたりする処理（所定の処理）は好ましくない。本実施の形態は、消色印刷に適したフィニッシング設定を、状況に併せて適切に設定する。
【００８７】
図１２に例示する設定画面では、カラー設定部７０１で“消色”が選択された状態を示している。この場合、制御部１０５は、図１２に例示する設定画面７００の右側に上下方向に複数配列されているフィニッシング設定のうち、“ステイプル”、“ホールパンチ”および“中折り”の設定部をグレーアウトさせ、選択不可とする。あるいは、“ステイプル無し”を示す設定アイコンＷ１、“ホールパンチ無”を示す設定アイコンＷ２、“中折無”を示す設定アイコンＷ３が選択された状態を維持し、その他の選択アイコンを選択不可とするようにしてもよい。
【００８８】
なお、“両面印刷”や、“Ｎｉｎ１”の設定は、消色印刷のみ（例えば、“カラー”設定部で消色が選択された状態）であれば、シートの再利用に影響なく実行可能であるので、図１２に例示する設定画面７００上では選択可能な状態となっている。
【００８９】
第３の実施の形態においても、第１の実施の形態と同様、消色印刷したいページ範囲が設定されると、制御部１０５は、消色印刷するページと、非消色印刷するページとを混在させたプリントジョブを生成する。画像処理装置１にて生成されるプリントジョブは、画像形成装置２ａに送信され、画像形成装置２ａは受信したプリントジョブにより指定される印刷設定に基づいて画像形成処理を実行する。
【００９０】
第１の実施の形態では、“両面印刷”の設定や“Ｎｉｎ１”の設定がされている場合には、例えば同一のシートの裏面に消色印刷が行われ表面に非消色印刷が行われたり、同一のシートのいずれかの面上に消色色材による印刷と非消色色材による印刷の双方がなされたりする虞があり、その場合には、シートの再利用率は低下することになる。
【００９１】
そこで、第３の実施の形態におけるプリンタドライバ１０６ｂの設定画面７００上では、さらに消色印刷と非消色印刷のページが混在する“消色印刷ページ設定”が設定された場合には、両面印刷やＮｉｎ１印刷の設定領域をグレーアウト表示に変更し、ユーザが選択できないようにする。
【００９２】
図１３は、消色印刷の設定とフィニッシングの設定をする場合に制御部１０５が行う判断フローチャートの一例である。制御部１０５は、プリンタドライバ１０６ｂの設定画面７００におけるカラー設定部７０１で“消色印刷”が選択された場合には（ＡＣＴ２０１，Ｙｅｓ）、例えば“ステイプル”、“ホールパンチ”の設定アイコン等をグレーアウト表示に切り替え、これらについての設定操作を不可とする（ＡＣＴ２０３）。ここで、消色印刷ページ設定（図５等を参照）が設定された場合には（ＡＣＴ２０２，Ｙｅｓ）、“ステイプル”および“ホールパンチ”に加えて“両面印刷”や“Ｎｉｎ１印刷”の設定アイコン等をグレーアウト表示に切り替え、これらについての設定操作を不可とする（ＡＣＴ２０４）。制御部１０５は、印刷実行指示を受け付けた後（ＡＣＴ２０５，Ｙｅｓ）、生成した消色印刷のプリントジョブを画像形成装置２ａに送信する。
【００９３】
次に、消色印刷の設定前に、ステイプル等のフィニッシングの設定が選択された場合を説明する。図１４は、消色印刷の設定前に、ステイプル等のフィニッシングの設定が選択された場合の制御部１０５の処理の一例を示すフローチャートである。
【００９４】
フィニッシング等の設定が先に選択された場合には、制御部１０５（生成部）は、プリンタドライバの設定画面７００におけるカラー設定部７０１で“消色印刷”が選択されたかを判断する（ＡＣＴ３０１）。制御部１０５（生成部）は、消色印刷が設定されていなければ（ＡＣＴ３０１，Ｎｏ）、通常の非消色印刷のプリントジョブを生成して画像形成装置２ａに送信する。一方、消色印刷が選択され（ＡＣＴ３０１，Ｙｅｓ）且つ消色印刷ページ設定はなされていない場合（ＡＣＴ３０２，Ｎｏ）には、制御部１０５（生成部）は、解除対象をステイプル、パンチ処理と判断し（ＡＣＴ３０３）、それらの設定がされていれば、これら解除対象であるフィニッシング処理の設定を解除するかをユーザに問い合せる（ＡＣＴ３０５）。
【００９５】
消色印刷が選択され（ＡＣＴ３０１，Ｙｅｓ）、且つ消色印刷ページ設定がされた場合には（ＡＣＴ３０２，Ｙｅｓ）、制御部１０５（生成部）は、ステイプルおよびパンチに加えて、両面、Ｎｉｎ１も解除対象と判断し、それらの設定がなされていれば、これら解除対象であるフィニッシング処理の設定を解除するかをユーザに問い合せる（ＡＣＴ３０５）。ユーザが問い合わせに対して設定を解除する指示を出した場合には（ＡＣＴ３０６，Ｙｅｓ）、制御部１０５（生成部）は、消色印刷の設定を維持し、フィニッシングの解除対象の処理の設定を解除したプリントジョブを生成する（ＡＣＴ３０７）。
【００９６】
一方、ユーザが解除の指示をしない場合には（ＡＣＴ３０６，Ｎｏ）、制御部１０５（生成部）は、非消色のカラー設定等は設定可とし（ＡＣＴ３０８）、フィニッシングの設定を維持し（ＡＣＴ３０９）、消色印刷の設定を不可としたプリントジョブを生成する。
【００９７】
なお、上記実施の形態では、ステイプル等の設定後に消色印刷設定を選択した場合に、ユーザに問い合わせを行っていたが、問い合わせを行うことなく、後から設定された指示を優先的に採択する、すなわち、消色印刷設定を有効にし、ステイプル等の設定を解除する構成としても良い。このように、本実施の形態によるプリンタドライバ１０６ｂでは、プリントジョブの印刷設定を含む生成プロセスにおいて、結果として特定のフィニッシング処理と消色印刷とが同じプリントジョブに結果として混在することのないようにしている。
【００９８】
このように、本実施の形態における制御部１０５（生成部）は、印刷対象であるドキュメントを構成する複数頁の内のいずれかを消色色材を用いて印刷する設定がされている場合、該ドキュメントを構成する複数の頁の内の一部または全部に対して設定されている両面印刷、Ｎｉｎ１印刷、綴じ処理および孔あけ処理の内の少なくともいずれかについての設定を無効にした状態で該ドキュメントについてのプリントジョブ（印刷データ）を生成する。
【００９９】
（第４の実施の形態）
続いて、第４の実施の形態について説明する。
【０１００】
第４の実施の形態は、上述の各実施の形態の変形例である。以下、第４の実施の形態において、上述の各実施の形態にてすでに説明した部分と同様な機能を有する部分については同一符号を付し、説明は省略する。第４の実施の形態において採用されるハードウェア構成は、一例として上述の第１の実施の形態と同様な構成を採用するものとする。
【０１０１】
第３の実施の形態では、消色印刷が設定された場合には、ステイプル等の設定を原則禁止したものを示したが、本実施の形態では、ユーザによる指定に応じて、より柔軟に消色印刷の設定とフィニッシングの設定を可能としている。
【０１０２】
図１５は、第４の実施の形態におけるプリントジョブの生成処理について説明するフローチャートである。
【０１０３】
消色／非消色印刷部数設定がされた場合（（ＡＣＴ４０１，Ｙｅｓ）、（ＡＣＴ４０２，Ｙｅｓ））には、制御部１０５（生成部）は、ステイプル等の設定を可能とし（ＡＣＴ４０３）、消色印刷については設定された部数分、ステイプル等を行わず、非消色印刷については設定された部数分ステイプル等の処理を行わせる印刷設定を行い、ジョブを送信する（ＡＣＴ４０４）。
【０１０４】
この場合、画像形成装置としては、ステイプル等の処理を行う非消色印刷の排紙先と、行わない消色印刷の排紙先とを異なる排紙先に設定することが望ましい。また、画像形成装置側において、ステイプル等の処理を行う非消色印刷の排紙先と、行わない消色印刷の排紙先とを異なる排紙先とを同じにする場合でも、トレイ上への排出位置を異ならせるようにしてもよい。
【０１０５】
また、消色／非消色印刷部数設定がされていない場合（（ＡＣＴ４０１，Ｙｅｓ）、（ＡＣＴ４０２，Ｎｏ））には、制御部１０５（生成部）は、ステイプル等の設定を不可とし（ＡＣＴ４０５）、ステイプル等の設定を解除した状態で消色印刷のプリントジョブを生成し、当該プリントジョブを画像形成装置に送信する（ＡＣＴ４０６）。
【０１０６】
この他、消色印刷が設定されていない場合（ＡＣＴ４０１，Ｎｏ）には、制御部１０５（生成部）は、ステイプル等の設定を可能とし（ＡＣＴ４０７）、消色印刷が設定されていれば（ＡＣＴ４０８，Ｙｅｓ）、これらステイプル等の設定を解除するかをユーザに問い合せる（ＡＣＴ４０９）。制御部１０５（生成部）は、ユーザが上記ステイプル等の設定の解除を希望する場合（ＡＣＴ４１０，Ｙｅｓ）、ＡＣＴ４０６へと処理を進める。
【０１０７】
一方、制御部１０５（生成部）は、ユーザが上記ステイプル等の設定の解除を希望しない場合（ＡＣＴ４１０，Ｎｏ）、非消色印刷のカラー方式の設定を行うかユーザに問い合わせ（ＡＣＴ４１１）、非消色印刷のカラー方式の設定を行う場合（ＡＣＴ４１１，Ｙｅｓ）、非消色印刷のプリントジョブを生成し、画像形成装置に送信する（ＡＣＴ４１２）。
【０１０８】
なお、図１５のフローチャートでは、ステイプル等の設定の前に消色設定をした場合には、ステイプル等の設定を禁止する処理を例示したが、これに限定されるものではない。例えば、消色設定をした後に、ステイプル等の選択自体は可能とし、ステイプル等が選択された場合には、後から指示されたステイプル等の選択を優先するか、ユーザに問い合せる構成としてよい。また、ユーザに問い合わせを行うことなく、後から設定された指示を優先的に採択する構成としても良い。なお、本実施の形態ではＮｉｎ１や両面印刷の設定は問題なく実施してよい。
【０１０９】
図１６は上記実施の形態の変形例である。上記実施の形態では、消色／非消色印刷部数設定ボタン７０９による消色印刷する部数と非消色印刷する部数の設定がなされた場合には、ステイプル等の設定を可能としたが（ＡＣＴ４０３）、図１６に示すプリンタドライバ設定画面では、（１）ステイプル、ホールパンチ、中折り等の設定を非消色印刷にのみ適用する、（２）ステイプル、ホールパンチ、中折り等の設定を、消色／非消色印刷に拘わらず、全てに適用させる、のいずれの設定とするかをユーザが択一的に選択できるラジオボタン７１０を設けた。
【０１１０】
すなわち、“非消色のみ有効”が選択された場合には、“消色／非消色印刷部数設定”が設定された場合に、非消色印刷の部数分、ステイプル等が適用され、“全てに有効”が設定された場合には、消色／非消色印刷に拘わらず全部数分ステイプル等が適用される。
【０１１１】
また、“全てに有効”の場合には、単にカラーが“消色”の場合や、“ページ指定”の設定がされた場合であっても、ステイプル等が適用されるようにしてよい。一方、“非消色のみ有効”が選択された場合には、“消色／非消色印刷部数設定”が設定された場合にのみ適用されることが好ましい。
【０１１２】
なお、画像処理装置１にて生成されるプリントジョブの送信先は、必ずしも画像形成装置である必要はなく、ネットワーク上の印刷サーバであっても当然良い。
【０１１３】
また、上述の各実施の形態では、画像形成装置２ａが非消色色材を用いてカラー印刷可能である物を想定して説明したが、画像形成装置がモノクロ印刷しかできない場合には、“カラー選択”あるいは、“色選択”が不要となる。
【０１１４】
上述の各実施の形態において、チェックボックス、プルダウンメニュー、ラジオボタン、テキストボックス等による入力手段は、あくまで一例であり、これらのような入力手段を任意に組み合わせ、異なるインターフェースを構成してもよいし、他の操作入力手段を採用してもよい。すなわち、情報入力や択一的な項目選択を行う上で、その目的が達成できれば、そのインターフェースの表示形式等は問わない。
（第５の実施の形態）
【０１１５】
第３および第４の実施の形態では、プリントジョブ生成を行うプリンタドライバ１０６ｂについて消色印刷をする場合の所定の処理（ステイプル、ホールパンチ、中折り等）の設定に関して例示した。一方で、第３および第４の機能を有さないプリンタドライバにおいては、消色印刷の指示と、それに適さない上記所定の処理の指示とを含むプリントジョブが生成されることになる。また、プリンタドライバからネットワーク上の印刷サーバへプリントジョブを送信し、印刷サーバ上のプリントジョブを画像形成装置が取得する印刷システムにおいては、プリントジョブに指示された設定に従い、印刷可能な構成を画像形成装置が有さない場合がありうる。
【０１１６】
そこで、以下では、プリントジョブを取得した画像形成装置において、状況に応じて適切な消色印刷を行うことができる画像形成装置について説明する。
【０１１７】
図１７は、本実施の形態における画像形成装置２ａの処理について説明するフローチャートである。
【０１１８】
画像形成装置２ａにおける制御部２０５（受信部）は、通信Ｉ／Ｆ２０１を介して、画像処理装置１からプリントジョブを受信する（ＡＣＴ９０１）。
【０１１９】
制御部２０５は、受信したプリントジョブがシートの再利用を困難にする所定の処理（ステイプル、ホールパンチ、中折り等）の実行指示を含み、且つプリンタ部２０４２ａによる消色印刷を要求するものである場合（ＡＣＴ９０２，Ｙｅｓ）、当該所定の処理を除く他の指示に基づく消色印刷処理をプリンタ部２０４２ａにおける実行対象とする（ＡＣＴ９０３）。
【０１２０】
また、制御部２０５は、受信されるプリントジョブが指定する印刷色が、画像形成装置２ａにて利用可能な色材により印刷可能であるか判定し、画像形成装置２ａにて利用可能な色材により印刷できない色であると判断した場合（ＡＣＴ９０４，Ｎｏ）、前記画像形成装置にて利用可能な色材により表現可能な印刷色により印刷する（ＡＣＴ９０５）。
【０１２１】
なお、上述の各実施の形態によれば、例えば以下のような機能を備える画像形成装置を提供することもできる。
（１）消色色材による印刷を行う印字部と、
プリントジョブを受信する受信部と、
プリントジョブがシートの再利用を困難にする所定の処理（ステイプル、ホールパンチ、中折り等）の実行指示を含む場合に、当該所定の処理を除く他の指示に基づく印刷処理を前記印字部に実行させる制御部と、
を備える画像形成装置。
（２）前記制御部は、前記受信部にて受信されるプリントジョブが指定する印刷色が、前記画像形成装置にて利用可能な色材により印刷可能であるか判定し、前記画像形成装置にて利用可能な色材により印刷できない色であると判断した場合、前記画像形成装置にて利用可能な色材により表現可能な印刷色により印刷する（１）に記載の画像形成装置。
【０１２２】
本実施の形態では、発明を実施する機能を実現するためのプリンタドライバプログラムが、装置内部に設けられた記憶領域に予め記録されている場合を例示したが、これに限らず同様のプログラムをネットワークから装置にダウンロードしても良いし、同様のプログラムをコンピュータ読取可能な記録媒体に記憶させたものを装置にインストールしてもよい。記録媒体としては、プログラムを記憶でき、かつコンピュータが読み取り可能な記録媒体であれば、その形態は何れの形態であっても良い。具体的に、記録媒体としては、例えば、ＲＯＭやＲＡＭ等のコンピュータに内部実装される内部記憶装置、ＣＤ−ＲＯＭやフレキシブルディスク、ＤＶＤディスク、光磁気ディスク、ＩＣカード等の可搬型記憶媒体、コンピュータプログラムを保持するデータベース、或いは、他のコンピュータ並びにそのデータベースや、回線上の伝送媒体などが挙げられる。またこのように予めインストールやダウンロードにより得る機能は装置内部のＯＳ（オペレーティング・システム）等と共働してその機能を実現させるものであってもよい。
【０１２３】
なお、プログラムは、その一部または全部が、動的に生成される実行モジュールであってもよい。
【０１２４】
また、上述の各実施の形態にてプログラムを１つあるいは複数のＣＰＵやＭＰＵによって実行させることにより実現される各種処理は、その少なくとも一部を、ＡＳＩＣにて回路的に実行させることも可能であることは言うまでもない。
【０１２５】
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【０１２６】
１  画像処理装置、Ｎ  電気通信回線、２ａ，２ｂ  画像形成装置、１０１  入力部、１０２  入力Ｉ／Ｆ、１０３  表示部、１０４  表示Ｉ／Ｆ、１０５  制御部、１０６  記憶装置、１０７  通信Ｉ／Ｆ、２０１  通信Ｉ／Ｆ、２０２  操作パネル、２０３  スキャナ部、２０４１ａ  プリンタ部、２０４２ａ  プリンタ部、２０５  制御部、２０６  記憶装置、２０７  ＦＣＵ。
【先行技術文献】
【特許文献】
【０１２７】
【特許文献１】特開２０１２−１４０００５号公報
【図１】
0006322539.tif 000002
【図２】
0006322539.tif 000003
【図３】
0006322539.tif 000004
【図４】
0006322539.tif 000005
【図５】
0006322539.tif 000006
【図６】
0006322539.tif 000007
【図７】
0006322539.tif 000008
【図８】
0006322539.tif 000009
【図９】
0006322539.tif 000010
【図１０】
0006322539.tif 000011
【図１１】
0006322539.tif 000012
【図１２】
0006322539.tif 000013
【図１３】
0006322539.tif 000014
【図１４】
0006322539.tif 000015
【図１５】
0006322539.tif 000016
【図１６】
0006322539.tif 000017
【図１７】
0006322539.tif 000018